(57)【要約】【課題】異なる周波数帯の信号に対して信号処理を行う処理回路を別々に有する携帯電話機において、アンテナが占める占有スペースを削減する。【解決手段】異なる周波数帯の信号を同じアンテナによって受信する。アンテナ１１０から周波数の高い方の周波数帯の信号の復調処理などするＷ−ＣＤＭＡ回路１４０にかけてのＲＦラインにハイパスフィルタ１２１を設けて、高い方の周波数帯の信号のみを通過させる。また、アンテナ１１０から周波数の低い方の周波数帯の信号の復調処理などするＦＭ回路１５０にかけてのＲＦラインにローパスフィルタ１２２を設けて、低い方の周波数帯の信号のみを通過させる。【選択図】図１
2007201644.tif 000002
【特許請求の範囲】
【請求項１】
アンテナと、
第１周波数帯の信号を信号処理する第１処理回路と、
前記第１周波数帯と異なる第２周波数帯の信号を信号処理する第２処理回路と、
前記アンテナから入力される前記第１周波数帯の信号を前記第１処理回路へ出力し、前記アンテナから入力される前記第２周波数帯の信号を前記第２処理回路へ出力する周波数分配回路と、
を備えたことを特徴とする携帯電話機。
【請求項２】
前記周波数分配回路は、
前記アンテナから前記第１処理回路にかけての信号経路に設けられ、前記第１周波数帯の信号を通過させ、前記第２周波数帯の信号を遮断する第１フィルタ回路と、
前記アンテナと前記第１フィルタ回路とを結ぶ信号経路上のノードから前記第２処理回路にかけての信号経路に設けられ、前記第２周波数帯の信号を通過させ、前記第１周波数帯の信号を遮断する第２フィルタ回路と、
を備えたことを特徴とする請求項１記載の携帯電話機。
【請求項３】
前記第１周波数帯は前記第２周波数帯より周波数が高く、
前記周波数分配回路は、
一方の極板が前記アンテナ側に接続され、他方の極板が前記第１処理回路側に接続されるように、前記アンテナから前記第１処理回路にかけての信号経路に設けられるコンデンサと、
一端が前記アンテナと前記コンデンサの一方の極板とを結ぶ信号経路上のノード側に接続され、他端が前記第２処理回路側に接続されるように、前記ノードから前記第２処理回路にかけての信号経路に設けられるコイルと、
を備えたことを特徴とする請求項１記載の携帯電話機。
【請求項４】
前記周波数分配回路は前記ノードと前記第２処理回路との間に前記コイルと直列接続される直列共振用コンデンサを更に備えたことを特徴とする請求項３記載の携帯電話機。
【請求項５】
前記第１処理回路は更に前記第１周波数帯より周波数が高い別の周波数帯の信号に対しても処理を行い、
前記周波数分配器は前記ノードと前記第２処理回路との間に前記コイルと直列接続された別のコイルを更に備えたことを特徴とする請求項３記載の携帯電話機。
【請求項６】
前記周波数分配回路は前記コイルと並列接続された並列共振用コンデンサ、及び前記別のコイルと並列接続された並列共振用コンデンサの少なくとも一方を更に備えたことを特徴とする請求項５記載の携帯電話機。
【発明の詳細な説明】
【技術分野】
【０００１】
本発明は、複数の周波数帯の信号を受信する携帯電話機に関する。
【背景技術】
【０００２】
現在、携帯電話機には、他の携帯電話機などと音声信号を送受信する機能（以下、電話機能という。）を有するとともに、付加機能として他の携帯電話機などと送受信する音声信号の周波数帯と異なる周波数帯の放送信号を受信して再生する機能（以下、放送受信機能という。）を有するものがある。このような携帯電話機では、他の携帯電話機などと送受信する音声信号を変復調などする処理回路と、放送信号の復調などする処理回路とが別々に設けられていた。
【０００３】
そして、携帯電話機では、携帯電話機が元来有する電話機能に放送受信機能を追加して装備したという経緯から、電話機能用のアンテナとは別個に放送受信機能用のアンテナが設けられていた（例えば、特許文献１参照。）。
【特許文献１】特開２００３−２７３９７８号公報
【発明の開示】
【発明が解決しようとする課題】
【０００４】
ところが、電話機能用のアンテナと放送受信機能用のアンテナとを別々に設けると、それらのアンテナが携帯電話機に占める総スペースが大きいという問題があった。例えば、電話機能にＷ−ＣＤＭＡ（Wideband Code Division Multiplex Access）方式を採用した場合、電話機能用のアンテナは、主に平板アンテナにより構成され、縦４５ｍｍ、横１１ｍｍ程度の寸法を必要とする。携帯電話機が受信する放送がＦＭ（Frequency Modulation）放送の場合、放送受信機能用のアンテナは、主に板金で構成され、５０〜７０ｍｍ程度のアンテナ長、１〜２ｍｍ程度のアンテナ幅を必要とする。また、放送受信機能用のアンテナは、グランドの影響によるアンテナ性能劣化を防ぐためにグラウンド板から１〜２ｍｍ程度離す必要がある。
【０００５】
そこで、本発明は、異なる周波数帯の信号に対して復調などの信号処理を行う処理回路を別々に備えた携帯電話機を対象とし、アンテナが携帯電話機に占めるスペースの小さい携帯電話機を提供することを目的とする。
【課題を解決するための手段】
【０００６】
上記目的を達成するために本発明の携帯電話機は、アンテナと、第１周波数帯の信号を信号処理する第１処理回路と、前記第１周波数帯と異なる第２周波数帯の信号を信号処理する第２処理回路と、前記アンテナから入力される前記第１周波数帯の信号を前記第１処理回路へ出力し、前記アンテナから入力される前記第２周波数帯の信号を前記第２処理回路へ出力する周波数分配回路と、を備えたことを特徴とする。
【発明の効果】
【０００７】
上記の携帯電話機によれば、第１周波数帯の信号を第１処理回路へ通過させ、第２周波数帯の信号を第２処理回路へ通過させる周波数分配回路を設け、一つのアンテナを第１周波数帯の信号を受信するアンテナと第２周波数帯の信号を受信するアンテナとに利用する。このため、第１処理回路に接続されて第１周波数帯の信号を受信するアンテナと第２処理回路に接続されて第２周波数帯の信号を受信するアンテナとを別々に設ける場合と比べて、アンテナが携帯電話機に占める総スペースを小さくすることができ、携帯電話機の小型化、或いは、回路を配置するスペースの増大を図ることができる。
【０００８】
例えば、電話機能としてＷ−ＣＤＭＡ方式を採用し、付加機能としてＦＭ放送の放送受信機能を有する携帯電話機の場合、従来電話機能用として備えていた縦４５ｍｍ、横１１ｍｍ程度の寸法の平板アンテナはＦＭ放送の周波数帯の信号も十分に受信できる。このことから、縦４５ｍｍ、横１１ｍｍ程度の寸法の平板アンテナを電話機能用と放送受信機能用の双方に共用し、アンテナ長５０〜７０ｍｍ、アンテナ幅１〜２ｍｍのアンテナをなくす。これによって、アンテナが携帯電話機に占める総スペースを長さ５０〜７０ｍｍ、幅１〜２ｍｍ程度小さくすることができる。
【０００９】
また、上記の携帯電話機において、前記周波数分配回路は、前記アンテナから前記第１処理回路にかけての信号経路に設けられ、前記第１周波数帯の信号を通過させ、前記第２周波数帯の信号を遮断する第１フィルタ回路と、前記アンテナと前記第１フィルタ回路とを結ぶ信号経路上のノードから前記第２処理回路にかけての信号経路に設けられ、前記第２周波数帯の信号を通過させ、前記第１周波数帯の信号を遮断する第２フィルタ回路と、を備えるようにしてもよい。
【００１０】
これによれば、第１周波数帯の信号が第２処理回路に流れ込みにくくなり、第１周波数帯の信号を効率良く第１処理回路へ供給することができる。また、第２周波数帯の信号が第１処理回路に流れ込みにくくなり、第２周波数帯の信号を効率良く第２処理回路へ供給することができる。
また、上記の携帯電話機において、前記第１周波数帯は前記第２周波数帯より周波数が高く、前記周波数分配回路は、一方の極板が前記アンテナ側に接続され、他方の極板が前記第１処理回路側に接続されるように、前記アンテナから前記第１処理回路にかけての信号経路に設けられるコンデンサと、一端が前記アンテナと前記コンデンサの一方の極板とを結ぶ信号経路上のノード側に接続され、他端が前記第２処理回路側に接続されるように、前記ノードから前記第２処理回路にかけての信号経路に設けられるコイルと、を備えるようにしてもよい。
【００１１】
これによれば、第１周波数帯の信号が第２処理回路に流れ込みにくくなり、第１周波数帯の信号を効率良く第１処理回路へ供給することができる。また、第２周波数帯の信号が第１処理回路に流れ込みにくくなり、第２周波数帯の信号を効率良く第２処理回路へ供給することができる。
さらに、上記の携帯電話機において、前記周波数分配回路は、前記ノードと前記第２処理回路との間に前記コイルと直列接続される直列共振用コンデンサを更に備えるようにしてもよい。
【００１２】
これによれば、コイルと直列共振用コンデンサとして、例えば第２周波数帯の周波数で直列共振するインダクタンス値のコイルと容量値のコンデンサとを利用することによって、第２周波数帯において、アンテナと第２処理回路との間のインピーダンスを直列共振用コンデンサがない場合に比べて小さくすることができる。このため、直列共振用コンデンサがない場合に比べてアンテナから第２処理回路にかけての信号経路上で第２周波数帯の信号の電力消費量を小さくすることができる。
【００１３】
さらに、上記の携帯電話機において、前記第１処理回路は更に前記第１周波数帯より周波数が高い別の周波数帯の信号に対しても処理を行い、前記周波数分配器は前記ノードと前記第２処理回路との間に前記コイルと直列接続された別のコイルを更に備えるようにしてもよい。
コイルは浮遊容量を持つことから自己共振し（自己共振する周波数は一つ）、自己共振する周波数で最大のインピーダンスの値を持つ。このため、例えば、コイルが自己共振する周波数が第１周波数帯に含まれるコイルを用いて第１周波数帯の信号を遮断するのに十分大きなインピーダンスの値を実現したとしても、自己共振する周波数から離れた第２周波数帯ではコイルのインピーダンスの値が低下するために、第２周波数帯の信号を遮断するのに十分大きなインピーダンスの値を実現できない場合がある。
【００１４】
これに対して、コイルと別のコイルとを直列接続した場合、コイル及び別のコイルが夫々自己共振する周波数でインピーダンスの値が大きくなる。このため、上記の携帯電話機では、例えば、第１周波数帯でインピーダンスの値が大きくなるコイルと別の周波数帯でインピーダンスの値が大きくなる別のコイルとを利用することにより、第１周波数帯及び別の周波数帯の双方で信号を遮断するのに十分大きなインピーダンスの値を実現することができる。この結果、第１周波数帯及び別の周波数帯の夫々の信号がアンテナから第２処理回路へ流れ込むことを防ぐことができ、第１処理回路へ効率良く供給することができる。
【００１５】
さらに、上記の携帯電話機において、前記周波数分配回路は前記コイルと並列接続された並列共振用コンデンサ、及び前記別のコイルと並列接続された並列共振用コンデンサの少なくとも一方を更に備えるようにしてもよい。
これによれば、第１周波数帯の信号及び別の周波数帯の信号の双方を遮断するのに十分大きなインピーダンスの値を実現するに際して、コイルのインダクタンス値のみならずコンデンサの容量値をも利用することができる。
【発明を実施するための最良の形態】
【００１６】
≪第１の実施の形態≫
以下、本発明の第１の実施の形態の携帯電話機について図面を参照しつつ説明する。本実施の形態の携帯電話機は、Ｗ−ＣＤＭＡ方式を採用して他の携帯電話機などと音声信号を送受信する携帯電話機に、付加機能としてＦＭ放送を受信して再生する機能を追加したものである。ただし、Ｗ−ＣＤＭＡ方式では、現在、８００ＭＨｚ帯と２ＧＨｚ帯が割り当てられており、ＦＭ放送の周波数帯は７６ＭＨｚから１０８ＭＨｚである。
＜構成＞
以下、本実施の形態の携帯電話機の構成について図１を参照しつつ説明する。図１は本実施の形態の携帯電話機の構成を示す構成図である。
【００１７】
携帯電話機１００は、図１に示すように、アンテナ１１０と周波数分配回路１２０とアンテナスイッチ１３０とＷ−ＣＤＭＡ回路１４０とＦＭ回路１５０とを備えている。
アンテナ１１０は、縦４５ｍｍ、横１１ｍｍの平板アンテナであり、他の携帯電話機などと音声信号を送受信するためのアンテナであるとともに、ＦＭ放送の放送信号を受信するためのアンテナでもある。
【００１８】
周波数分配回路１２０は、アンテナ１１０、アンテナスイッチ１３０、及びＦＭ回路１５０の夫々に接続され、ハイパスフィルタ１２１とローパスフィルタ１２２とを備えている。ハイパスフィルタ１２１はアンテナ１１０からＷ−ＣＤＭＡ回路１４０にかけての信号経路のＲＦ（Radio Frequency）ラインに設けられている。ローパスフィルタ１２２はアンテナ１１０とハイパスフィルタ１２１とを結ぶＲＦライン上のノードＮ１０１からＦＭ回路１５０にかけてのＲＦラインに設けられている。
【００１９】
ハイパスフィルタ１２１は、図２に概略を示す減衰特性を有する。図２の横軸は周波数、縦軸はゲイン（ｄＢ）であり、ハイパスフィルタ１２１は、ＦＭ放送の周波数帯（７６ＭＨｚから１０８ＭＨｚ）を減衰域に含み、８００ＭＨｚ帯と２ＧＨｚ帯とを通過域に含む。
ハイパスフィルタ１２１は、上述した減衰特性を有することにより、８００ＭＨｚ帯及び２ＧＨｚ帯の夫々の信号を、アンテナ１１０からＷ−ＣＤＭＡ回路１４０へ通過させ、Ｗ−ＣＤＭＡ回路１４０からアンテナ１１０へ通過させる。また、ハイパスフィルタ１２１は、ＦＭ放送の周波数帯の信号のアンテナ１１０からＷ−ＣＤＭＡ回路１４０への通過を遮断する。
【００２０】
ローパスフィルタ１２２は、図３に概略を示す減衰特性を有する。図３の横軸は周波数、縦軸はゲイン（ｄＢ）であり、ローパスフィルタ１２２は、ＦＭ放送の周波数帯（７６ＭＨｚから１０８ＭＨｚ）を通過域に含み、８００ＭＨｚ帯と２ＧＨｚ帯とを減衰域に含む。
ローパスフィルタ１２２は、上述した減衰特性を有することにより、ＦＭ放送の周波数帯の信号をアンテナ１１０からＦＭ回路１５０へ通過させる。また、ローパスフィルタ１２２は、８００ＭＨｚ帯及び２ＧＨｚ帯の夫々の信号のアンテナ１１０からＦＭ回路１５０への通過を遮断し、Ｗ−ＣＤＭＡ回路１４０からＦＭ回路１５０への通過を遮断する。
【００２１】
アンテナスイッチ１３０は周波数分配器１２０及びＷ−ＣＤＭＡ回路１４０の夫々に接続されている。アンテナスイッチ１３０は、アンテナ１１０によって受信された音声信号を周波数分配回路１２０からＷ−ＣＤＭＡ回路１４０へ伝達させ、Ｗ−ＣＤＭＡ回路１４０によって生成された音声信号をＷ−ＣＤＭＡ回路１４０から周波数分配回路１２０へ伝達させる。
【００２２】
Ｗ−ＣＤＭＡ回路１４０は、アンテナ１１０によって受信され、周波数分配回路１２０のハイパスフィルタ１２１及びアンテナスイッチ１３０を介して入力される８００ＭＨｚ帯の音声信号及び２ＧＨｚ帯の音声信号の夫々を拡散符号とのミキシング、復調、復号、Ｄ／Ａ変換（デジタル／アナログ変換）などの信号処理をして、不図示のスピーカから出力する。また、Ｗ−ＣＤＭＡ回路１４０は、不図示のマイクにより集音された音声信号を、Ａ／Ｄ変換、符号化、変調などの信号処理をして、アンテナスイッチ１３０及び周波数分配回路１２０のハイパスフィルタ１２１を介して、アンテナ１１０へ送出する。
【００２３】
ＦＭ回路１５０は、アンテナ１１０によって受信され、周波数分配回路１２０のローパスフィルタ１２２を介して入力されるＦＭ放送の周波数帯の信号を復調などの信号処理をして、不図示のスピーカから出力する。
＜８００ＭＨｚ帯、２ＧＨｚ帯の信号の流れ＞
以下、図１の携帯電話機１００における８００ＭＨｚ帯及び２ＧＨｚ帯の夫々の信号の流れについて説明する。上述したように、８００ＭＨｚ帯及び２ＧＨｚ帯は夫々ハイパスフィルタ１２１の通過域であり、ローパスフィルタ１２２の遮断域である。
【００２４】
アンテナ１１０によって受信された８００ＭＨｚ帯の信号は、ハイパスフィルタ１２１を通過し、アンテナスイッチ１３０を介してＷ−ＣＤＭＡ回路１４０へ伝達する。
また、Ｗ−ＣＤＭＡ回路１４０から送出される８００ＭＨｚ帯の信号は、ハイパスフィルタ１２１を通過し、ハイパスフィルタ１２１を通過した８００ＭＨｚ帯の信号は、アンテナ１１０に伝達する。
【００２５】
２ＧＨｚ帯の信号は、８００ＭＨｚ帯の信号と同様に携帯電話機１００の回路を流れる。
＜ＦＭ放送の周波数帯の信号の流れ＞
以下、図１の携帯電話機１００におけるＦＭ放送の周波数帯の信号の流れについて説明する。上述したように、ＦＭ放送の周波数帯はローパスフィルタ１２２の通過域であり、ハイパスフィルタ１２１の遮断域である。
【００２６】
アンテナ１１０によって受信されたＦＭ放送の周波数帯の信号は、ローパスフィルタ１２２を通過し、ＦＭ回路１５０へ伝達する。
＜効果＞
以上説明した第１の実施の形態によれば、アンテナ１１０を他の携帯電話機などと音声信号を送受信するためのアンテナとして利用するとともに、ＦＭ放送の受信用のアンテナとしても利用している。このため、携帯電話機１００が備えるアンテナが一つとなり、携帯電話機１００に占めるアンテナのスペースが小さくなる。
【００２７】
また、アンテナ１１０からＷ−ＣＤＭＡ回路１４０にかけてのＲＦラインに上記の減衰特性を有するハイパスフィルタ１２１を設けて、ＦＭ放送の周波数帯の信号のアンテナ１１０からＷ−ＣＤＭＡ回路１４０への通過を遮断している。このため、アンテナ１１０によって受信されたＦＭ放送の周波数帯の信号を効率良くＦＭ回路１５０へ供給することができる。
【００２８】
さらに、アンテナ１１０からＦＭ回路１５０にかけてのＲＦラインに上記の減衰特性を有するローパスフィルタ１２２を設けて、８００ＭＨｚ帯及び２ＧＨｚ帯の夫々の信号のアンテナ１１０からＦＭ回路１５０への通過を遮断している。このため、アンテナ１１０によって受信された８００ＭＨｚ帯及び２ＧＨｚ帯の夫々の信号を効率良くＷ−ＣＤＭＡ回路１４０へ供給することができる。
≪第２の実施の形態≫
以下、本発明の第２の実施の形態の携帯電話機について図面を参照しつつ説明する。ただし、第２の実施の形態は第１の実施の形態のローパスフィルタ１２２の回路ブロックを改良したものである。なお、第２の実施の形態では第１の実施の形態のローパスフィルタ１２２の回路ブロックに相当する回路ブロックは単純なローパスフィルタの減衰特性にはなっていない。
＜構成＞
以下、本発明の第２の実施の形態の携帯電話機の構成について図４を参照しつつ説明する。図４は本実施の形態の携帯電話機の構成を示す構成図である。ただし、携帯電話機２００は、第１の実施の形態の携帯電話機１００と同様に、Ｗ−ＣＤＭＡ方式を採用して他の携帯電話機などと音声信号を送受信する携帯電話機に、付加機能としてＦＭ放送を受信して再生する機能を追加したものである。なお、第１の実施の形態と実質的に同じ構成要素には同じ符号を付し、第１の実施の形態の説明が適用できるため説明を省略する。
【００２９】
携帯電話機２００は、図４に示すように、アンテナ１１０と周波数分配回路２２０とアンテナスイッチ１３０とＷ−ＣＤＭＡ回路１４０とＦＭ回路１５０とを備えている。
周波数分配回路２２０は、アンテナ１１０、アンテナスイッチ１３０、及びＦＭ回路１５０の夫々に接続されており、コンデンサ２２１、２２４と、コイル２２２、２２３とを備えている。
【００３０】
コンデンサ２２１は、ハイパスフィルタを構成し、一方の極板がアンテナ１１０に接続され、他方の極板がアンテナスイッチ１３０に接続されるように、アンテナ１１０からＷ−ＣＤＭＡ回路１４０にかけてのＲＦラインに設けられている。コンデンサ２２１として、８００ＭＨｚ帯及び２ＧＨｚ帯を通過域に、ＦＭ放送の周波数帯を遮断域にする容量値のコンデンサを用いる。
【００３１】
コイル２２２、２２３及びコンデンサ２２４は、夫々、アンテナ１１０からＦＭ回路１５０にかけてのＲＦラインにそれらが直列接続されるように設けられている。つまり、コイル２２２の一端はアンテナ１１０とコンデンサ２２１とを結ぶＲＦライン上のノードＮ２０１に接続され、コイル２２３の一端はコイル２２２の他端に接続され、コンデンサ２２４の一方の極板はコイル２２３の他端に接続され、コンデンサ２２４の他方の極板はＦＭ回路１５０に接続されている。
【００３２】
以下、図４に利用するコイル２２２、２２３及びコンデンサ２２４に関して図５を参照しつつ説明する。図５（ａ）はアンテナ１１０からＦＭ回路１５０にかけての素子を取り出して示したものである。図５（ｂ）は図５（ａ）のノードＮ１とノードＮ２との間のインピーダンスの特性の概略を示す図であり、横軸が周波数、縦軸がインピーダンスである。
【００３３】
なお、コイル２２２のインダクタンス及び浮遊容量をＬ１及びＣ１と記載し、コイル２２３のインダクタンス及び浮遊容量をＬ２及びＣ２と記載する。コンデンサ２２４の容量をＣ３と記載する。また、Ｌ１・Ｃ１はＬ２・Ｃ２より大きいとする。
ノードＮ１とノードＮ２との間のインピーダンスは、コイル２２２、２２３及びコンデンサ２２４が直列共振する周波数の前後の周波数領域では、コイル２２２、２２３及びコンデンサ２２４が直列共振する周波数になるまでは周波数が大きくなるにつれて小さくなる。それらの間のインピーダンスは、その周波数領域では直列共振する周波数「１／２π｛（Ｌ１＋Ｌ２）・Ｃ３｝１／２」で最小値になる。それらの間のインピーダンスは、直列共振する周波数を超えると周波数が大きくなるにつれて大きくなる。
【００３４】
従って、ノードＮ２０１とＦＭ回路１５０との間のインピーダンスの値をＦＭ放送の周波数帯で小さくするために、コイル２２２、２２３及びコンデンサ２２４がＦＭ放送の周波数帯及びその付近の周波数、例えば、ＦＭ放送の周波数帯の略中央の周波数で直列共振するようなインダクタンス値及び容量値を持つものを用いる。
なお、インピーダンスが小さいほど信号の減衰は小さくなり、アンテナ１１０からＦＭ回路１５０へ効率良く伝達することになる。
【００３５】
ノードＮ１とノードＮ２との間のインピーダンスは、コイル２２２が自身のインダクタンスと浮遊容量とにより自己共振する周波数の前後の周波数領域では、コイル２２２が自己共振する周波数になるまでは周波数が大きくなるにつれて大きくなる。それらの間のインピーダンスは、その周波数領域では自己共振する周波数「１／２π（Ｌ１・Ｃ１）１／２」で最大値になる。それらの間のインピーダンスは、直列共振する周波数を超えると周波数が大きくなるにつれて小さくなる。
【００３６】
また、ノードＮ１とノードＮ２との間のインピーダンスは、コイル２２３が自身のインダクタンスと浮遊容量とにより自己共振する周波数の前後の周波数領域では、コイル２２３が自己共振する周波数になるまでは周波数が大きくなるにつれて大きくなる。それらの間のインピーダンスは、その周波数領域では自己共振する周波数「１／２π（Ｌ２・Ｃ２）１／２」で最大値になる。それらの間のインピーダンスは、直列共振する周波数を超えると周波数が大きくなるにつれて小さくなる。
【００３７】
従って、ノードＮ２０１とＦＭ回路１５０との間のインピーダンスの値を８００ＭＨｚ帯及び２ＧＨｚ帯で大きくするために、コイル２２２が８００ＭＨｚ帯及びその付近の周波数、例えば、８００ＭＨｚ帯の略中央の周波数で自己共振するようなインダクタンス値と浮遊容量の値を持つものを用い、コイル２２３が２ＧＨｚ帯及びその付近の周波数、例えば、２ＧＨｚ帯の略中央の周波数で自己共振するようなインダクタンス値と浮遊容量の値を持つものを用いる。
【００３８】
なお、インピーダンスが大きいほど信号を遮断する能力が高くなり、アンテナ１１０からＦＭ回路１５０への信号の通過を遮断することができるようになる。
＜８００ＭＨｚ帯、２ＧＨｚ帯の信号の流れ＞
以下、図４の携帯電話機２００における８００ＭＨｚ帯の信号の流れについて説明する。
【００３９】
アンテナ１１０によって受信された８００ＭＨｚ帯の信号は、コンデンサ２２１を通過し、アンテナスイッチ１３０を介してＷ−ＣＤＭＡ回路１４０へ伝達する。このとき、アンテナ１１０によって受信された８００ＭＨｚ帯の信号はコイル２２２、２２３及びコンデンサ２２４によってＦＭ回路１５０への流れ込みが遮断される。
Ｗ−ＣＤＭＡ回路１４０から送出される８００ＭＨｚ帯の信号は、コンデンサ２２１を通過し、コンデンサ２２１を通過した８００ＭＨｚ帯の信号は、アンテナ１１０に伝達する。このとき、コンデンサ２２１を通過した８００ＭＨｚ帯の信号はコイル２２２、２２３及びコンデンサ２２４によってＦＭ回路１５０への流れ込みが遮断される。
【００４０】
２ＧＨｚ帯の信号は、８００ＭＨｚ帯の信号と同様に携帯電話機２００の回路を流れる。
＜ＦＭ放送の周波数帯の信号の流れ＞
以下、図４の携帯電話機２００におけるＦＭ放送の周波数帯の信号の流れについて説明する。
【００４１】
アンテナ１１０によって受信されたＦＭ放送の周波数帯の信号は、コイル２２２、２２３とコンデンサ２２４とを通過し、ＦＭ回路１５０へ伝達する。このとき、アンテナ１１０によって受信されたＦＭ放送の周波数帯の信号はコンデンサ２２１によってＷ−ＣＤＭＡ回路１４０への流れ込みが遮断される。
＜効果＞
以上説明した第２の実施の形態によれば、第１の実施の形態と同様、アンテナが携帯電話機１００に占めるスペースが小さくなる。
【００４２】
また、アンテナ１１０からＷ−ＣＤＭＡ回路１４０にかけてのＲＦラインに上記の減衰特性を有するコンデンサ２２１により構成されるハイパスフィルタを設けて、ＦＭ放送の周波数帯の信号のアンテナ１１０からＷ−ＣＤＭＡ回路１４０への通過を遮断している。このため、アンテナ１１０によって受信されたＦＭ放送の周波数帯の信号を効率良くＦＭ回路１５０へ供給することができる。
【００４３】
また、コイル２２２、２２３及びコンデンサ２２４として、ＦＭ放送の周波数帯の略中央の周波数でそれらが直列共振するインダクタンス値のコイル及び容量値のコンデンサとを用いている。このため、アンテナ１１０とＦＭ回路１５０との間のインピーダンスの値をＦＭ放送の周波数帯で小さくすることができ、アンテナ１１０からＦＭ回路１５０にかけてのＲＦライン上の素子でＦＭ放送の周波数帯の信号の電力消費量を小さくすることができる。
【００４４】
さらに、コイル２２２、２２３として、８００ＭＨｚ帯及び２ＧＨｚ帯で自己共振するインダクタンス値及び浮遊容量の値のコイル２２２、２２３を用いている。このため、アンテナ１１０とＦＭ回路１５０との間のインピーダンスの値を８００ＭＨｚ帯及び２ＧＨｚ帯の夫々で十分大きくすることができ、８００ＭＨｚ帯及び２ＧＨｚ帯の夫々の信号のアンテナ１１０からＦＭ回路１５０への通過を遮断することができる。
≪補足≫
上記の第１の実施の形態では、アンテナ１１０とＷ−ＣＤＭＡ回路１４０のＲＦラインに、８００ＭＨｚ帯及び２ＧＨｚ帯の信号を通過させ、ＦＭ放送の周波数帯の信号を遮断するハイパスフィルタ１２１を設けている場合であるが、これに限らず、例えば、８００ＭＨｚ帯及び２ＧＨｚ帯の信号を通過させ、ＦＭ放送の周波数帯の信号を遮断するバンドパスフィルタやバンドエルミネートフィルタを設けるようにしてもよい。
【００４５】
上記の第１の実施の形態では、アンテナ１１０とＦＭ回路１５０のＲＦラインに、ＦＭ放送の周波数帯の信号を通過させ、８００ＭＨｚ帯及び２ＧＨｚ帯の信号を遮断するローパスフィルタ１２２を設けている場合であるが、これに限らず、例えば、ＦＭ放送の周波数帯の信号を通過させ、８００ＭＨｚ帯及び２ＧＨｚ帯の信号を遮断するバンドパスフィルタやバンドエルミネートフィルタを設けるようにしてもよい。
【００４６】
上記の第１及び第２の実施の形態では、他の携帯電話機などと音声を送受信する周波数帯が２つの場合であるが、これに限らず、１つであってもよく、３つ以上であってもよい。第２の実施の形態において、他の携帯電話機などと音声を送受信する周波数帯の数が３つ以上の場合、例えば、その周波数帯と同じ数のコイルをノードＮ２０１とＦＭ回路１５０との間に直列接続するようにしてもよい。
【００４７】
上記の第２の実施の形態において、コイル２２２、２２３の夫々と並列接続されたコンデンサを備えるようにしてもよい。
上記の第２の実施の形態では、ノードＮ２０１からＦＭ回路１５０にかけてのＲＦラインにノードＮ２０１側からコイル２２２、コイル２２３、コンデンサ２２４が直列接続されるように設けている場合であるが、これに限らず、例えば、ノードＮ２０１側からコンデンサ、コイル、コイルが直列接続されるようにそれらを設けるようにしてもよい。
【００４８】
上記の第１及び第２の実施の形態では、Ｗ−ＣＤＭＡ方式を採用し、付加機能としてＦＭ放送を受信する機能を有した携帯電話機であるが、これに限らず、他の携帯電話機などと音声信号を送受信する方式としてＷ−ＣＤＭＡ方式以外の方式を採用した携帯電話機であってもよく、付加機能としてＡＭ（Amplitude Modulation）放送など他の放送を受信する機能を有したものであってもよい。
【００４９】
また、上記の第１及び第２の実施の形態では、他の携帯電話機などと送受信する音声信号とこれと周波数帯が異なる放送の放送信号とを対象としている場合であるが、これに限らず、例えば、周波数帯が異なる２つの放送信号を対象とするようにしてもよい。
【産業上の利用可能性】
【００５０】
本発明は、ＦＭ放送など受信する機能を有する携帯電話機に利用することができる。
【図面の簡単な説明】
【００５１】
【図１】第１の実施の形態の携帯電話機の構成を示す構成図。
【図２】図１のハイパスフィルタの減衰特性を示す図。
【図３】図１のローパスフィルタの減衰特性を示す図。
【図４】第２の実施の形態の携帯電話機の構成を示す構成図。
【図５】図４のアンテナとＦＭ回路との間のインピーダンスの特性を示す図。
【符号の説明】
【００５２】
１００、２００  携帯電話機
１１０  アンテナ
１２０、２２０  周波数分配回路
１２１  ハイパスフィルタ
１２２  ローパスフィルタ
１３０  アンテナスイッチ
１４０  Ｗ−ＣＤＭＡ回路
１５０  ＦＭ回路
２２１、２２４  コンデンサ
２２２、２２３  コイル
【図１】
2007201644.tif 000003
【図２】
2007201644.tif 000004
【図３】
2007201644.tif 000005
【図４】
2007201644.tif 000006
【図５】
2007201644.tif 000007